(57)【要約】【課題】本発明は流体動圧軸受の特徴を生かすとともに、羽根車が回転によってケース体に接触するような移動を確実に阻止することができるブロアモータを得るにある。【解決手段】少なくとも一側面に空気吸引口が形成され周壁に排出口が形成されたケース体と、このケース体内あるいはケース体外に取付けられた流体動圧軸受を用いたモータと、このモータの外周部あるいはケース体内の該モータの回転部材に固定された回転により前記空気吸引口より空気を吸引し排出口より排出することができる上下面のいずれか一方あるいは両方にカバー板が設けられた羽根車と、この羽根車の上下部のカバー板の外周部あるいは該部位のケース体内との間に羽根車をスラスト方向に押し圧できるように圧力が加わる上下部の圧力室および上下部の圧力室の圧力空気を外部へ排出する上下部のバルブ室とでブロアモータを構成している。【選択図】  図４
2006129638.tif 000002
【特許請求の範囲】
【請求項１】
少なくとも一側面に空気吸引口が形成され、周壁に排出口が形成されたケース体と、このケース体内あるいはケース体外に取付けられた流体動圧軸受を用いたモータと、このモータの外周部あるいは前記ケース体内の該モータの回転部材に固定された、回転により前記空気吸引口より空気を吸引し、前記排出口より排出することができる上下面のいずれか一方あるいは両方にカバー板が設けられた羽根車と、この羽根車の上下部のカバー板の外周部あるいは該部位のケース体内との間に、該羽根車をスラスト方向に押し圧できるように圧力が加わる上下部の圧力室および、該上下部の圧力室の圧力空気を外部へ排出する上下部のバルブ室とを備えることを特徴とするブロアモータ。
【請求項２】
上下部のバルブ室はケース体内壁面と羽根車のカバー板を、上下部を傾斜面あるいは曲面に形成したものであることを特徴とする請求項１記載のブロアモータ。
【請求項３】
上下部のバルブ室はケース体内壁面と羽根車のカバー板の下部を傾斜面あるいは平面に形成され、上部は該羽根車の自重でスラスト方向の移動を規制できる形状に形成されていることを特徴とする請求項１記載のブロアモータ。
【発明の詳細な説明】
【技術分野】
【０００１】
本発明はブロアモータに関する。
【背景技術】
【０００２】
従来のブロアモータは一側面の蓋板に空気吸引口が形成され、周壁に排出口が形成されたケース体と、このケース体内に取付けられた流体動圧軸受を用いたモータと、このモータの外周部に位置するように、該モータの回転部材に固定された、回転により前記空気吸引口より空気を吸引し、前記排出口より排出することができる、反空気吸引口側にカバー板を用いた羽根車とで構成されている。
【０００３】
このように構成されたブロアモータは羽根車の回転によって、空気吸引口＜大気圧＜排出口となり、羽根車は空気吸引口側へ引張られ、蓋板に羽根車が接触するという欠点があった。この欠点を解消するためには、ボールベアリングのような強いスラスト保持機構が必要になる。
【特許文献１】特になし
【発明の開示】
【発明が解決しようとする課題】
【０００４】
本発明は以上のような従来の欠点に鑑み、流体動圧軸受の特徴を生かすとともに、羽根車が回転によってケース体に接触するような移動を確実に阻止することができるブロアモータを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は少なくとも一側面に空気吸引口が形成され、周壁に排出口が形成されたケース体と、このケース体内あるいはケース体外に取付けられた流体動圧軸受を用いたモータと、このモータの外周部あるいは前記ケース体内の該モータの回転部材に固定された、回転により前記空気吸引口より空気を吸引し、前記排出口より排出することができる上下面のいずれか一方あるいは両方にカバー板が設けられた羽根車と、この羽根車の上下部のカバー板の外周部あるいは該部位のケース体内との間に、該羽根車をスラスト方向に押し圧できるように圧力が加わる上下部の圧力室および、該上下部の圧力室の圧力空気を外部へ排出する上下部のバルブ室とで
ブロアモータを構成している。
【発明の効果】
【０００７】
以上の説明から明らかなように、本発明にあっては次に列挙する効果が得られる。
【０００８】
（１）少なくとも一側面に空気吸引口が形成され、周壁に排出口が形成されたケース体と、このケース体内あるいはケース体外に取付けられた流体動圧軸受を用いたモータと、このモータの外周部あるいは前記ケース体内の該モータの回転部材に固定された、回転により前記空気吸引口より空気を吸引し、前記排出口より排出することができる上下面のいずれか一方あるいは両方にカバー板が設けられた羽根車と、この羽根車の上下部のカバー板の外周部あるいは該部位のケース体内との間に、該羽根車をスラスト方向に押し圧できるように圧力が加わる上下部の圧力室および、該上下部の圧力室の圧力空気を外部へ排出する上下部のバルブ室とで構成されているので、羽根車の回転によって、該羽根車がケース体に接触するようなスラスト方向の移動を、圧力室とバルブ室とで阻止することができる。
したがって、流体動圧軸受の特徴を生かして、羽根車やケース体の損傷を確実に防止することができる。
【０００９】
（２）前記（１）によって、圧力室とバルブ室を形成するだけでよいので、部品点数を増すことなく実施できる。
【００１０】
（３）前記（１）によって、上下部のバルブ室の開閉方向の移動によって、羽根車が釣り合いのとれた位置で回転させることができる。
したがって、安定した送風を図ることができる。
【００１１】
（４）請求項２、３も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図８に示す本発明を実施するための最良の第１の形態において、１は本発明のブロアモータで、このブロアモータ１は一側面のほぼ中央部に空気吸引口２が形成された蓋板３で覆われ、周壁４に排出口５が形成されたケース体６と、このケース体６内に取付けられた高速回転で駆動される流体動圧軸受を用いたモータ７と、このモータ７の外周部に位置するように、該モータ７の回転部材に固定された、回転により前記ケース体６の空気吸引口２より空気を吸引し、前記排出口５より排出することができる羽根車８とで構成されている。
【００１４】
前記ケース体６は外周部にビス９等の挿入孔１０が形成された取付部１１、１１を有し、排出口５が形成された周壁４を有するケース体本体１２と、このケース体本体１２の底板１２ａに形成された下部空気吸引口１３と、前記ケース体本体１２の上部開口部１２ｂを覆う空気吸引口２が形成された蓋板３とで構成されている。
【００１５】
前記モータ７は前記ケース体６のケース体本体１２の内底面に固定されたモータ駆動回路（図示せず）が設けられたベース板１４と、このベース板１４より上方へ突出するように固定されたシャフト１５と、このシャフト１５の外周部に微少隙間１６を介して配置されたスリーブ１７と、このスリーブ１７の外周部に取付けられた永久磁石が配置されたロータ１８と、このロータ１８の外周部に位置するように、前記ベース板１４に取付けられたコアレス波形連続コイル１９と、このコアレス波形連続コイル１９の外周部に位置するように設けられたバックヨーク２０と、前記スリーブ１７、ロータ１８およびバックヨーク２０を支持するとともに、前記シャフト１５の上部および該バックヨーク２０の外周部を覆う回転部材としてのハブ２１と、前記シャフト１５を覆うハブ２１の上部の凹部２２に固定されたリング状のスラストマグネット２３と、このスラストマグネット２３と対向するように前記シャフト１５の上部に固定されたリング状のスラストマグネット２４とで構成されている。
【００１６】
前記羽根車８は前記モータ７の回転部材としてのハブ２１の外周部に嵌合固定されたボス部２５の上下端部より複数個の透孔２６、２６を介して外方へ突出するフランジ状の上下部のカバー板２７、２７と、この上下部のカバー板２７、２７間を多数個に仕切る弧状の多数個の羽根２８と、前記上下部のカバー板２７、２７の外周部寄りの部位と、前記ケース体６の内壁面６ａ、６ａとの間に、該上下部のカバー板２７、２７をスラスト方向に押し圧できるように、圧力が加わるように凹部２９、２９を形成して形成した上下部の圧力室３０、３０とで構成され、該羽根車８の上下部の圧力室３０、３０と前記上下部のカバー板２７、２７の複数個の透孔２６、２６との間には上下部のバルブ室３１、３１ができるように取付けられている。
【００１７】
上記構成のブロアモータ１は、モータ７を駆動させると羽根車８が高速で回転し、ケース体６の空気吸引口２、下部空気吸引口１３より空気を吸引し、排出口５より排出することができ、小型でも大風量で高圧の送風ができる。
この時、モータ７はシャフト１５の外周部に微少隙間１６を介して配置したスリーブ１７の外周部に回転構造の永久磁石が配置されたロータ１８とコアレス波形連続コイル１９が配置されているので、回転力を発生する磁気回路からシャフト１５とスリーブ１７に加えられる有害な力は全くなくなる。
このため、基本的にはロータ１８の自重を支えるだけの軸受け剛性があればよいことになる。  
また、羽根車８が高速回転しても上下部の圧力室３０、３０に加わる圧力に差が生じると、低い圧力の方向へ羽根車８が移動し、高い圧力室３０の圧力が、該圧力室３０と連通するバルブ室３１から外部へ排出される操作を繰り返し、釣り合いのとれた位置で羽根車８が回転する。
[発明を実施するための異なる形態]
【００１８】
次に、図９ないし図３２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図９ないし図１１に示す本発明を実施するための第２の形態において、前記本発明を実施するための最良の第１の形態と主に異なる点は、上下部のバルブ室３１Ａ、３１Ａが傾斜面となるように傾斜面３２、３２が形成された上下部ガイド板２７Ａ、２７Ａを用いた、根元部よりも先端部の厚さ寸法が小さい羽根車８Ａと、この羽根車８Ａの上下部のガイド板２７Ａ、２７Ａの傾斜面３２、３２と対応する部位の底面に下部空気吸引口のないケース体６Ａの内壁面に傾斜面３３、３３を形成した点で、このように構成したブロアモータ１Ａにしても、前記本発明を実施するための最良の第１の形態と同様な作用効果が得られる。
【００２０】
図１２ないし図１４に示す本発明を実施するための第３の形態において、前記本発明を実施するための第２の形態と主に異なる点は、外周部が凸状に突出し、平面状態の上下部のバルブ室３１Ｂ、３１Ｂを形成する羽根車８Ｂとケース体６Ｂとを用いた点で、このような羽根車８Ｂとケース体６Ｂとを用いて構成したブロアモータ１Ｂにしても、前記本発明を実施するための第２の形態と同様な作用効果が得られる。
【００２１】
図１５ないし図１７に示す本発明を実施するための第４の形態において、前記本発明を実施するための第２の形態と主に異なる点は、上部の圧力室３０とバルブ室３１とが平面状態に形成し、上部からの圧力の排出を羽根車８Ｃの自重でできるようにした点で、このように構成したブロアモータ１Ｃにしても、前記本発明を実施するための第２の形態と同様な作用効果が得られる。
【００２２】
図１８ないし図２０に示す本発明を実施するための第５の形態において、前記本発明を実施するための第３の形態と主に異なる点は、上部の圧力室３０とバルブ室３１とが平面状態に形成し、上部からの圧力の排出を羽根車８Ｄの自重でできるようにした点で、このように構成したブロアモータ１Ｄにしても、前記本発明を実施するための第３の形態と同様な作用効果が得られる。
【００２３】
図２１ないし図２３に示す本発明を実施するための第６の形態において、前記本発明を実施するための第２の形態と主に異なる点は、上下部バルブ室３１Ｃ、３１Ｃを曲面となるように曲面３４、３４を形成した上下部のカバー板２７Ｂ、２７Ｂを用いた羽根車８Ｅと、内壁面に曲面３５、３５を形成したケース体６Ｃを用いた点で、このように構成したブロアモータ１Ｅにしても、前記本発明を実施するための第２の形態と同様な作用効果が得られる。
【００２４】
図２４ないし図２６に示す本発明を実施するための第７の形態において、前記本発明を実施するための第２の形態と主に異なる点は、先端部の厚さが順次小さくなるように形成された羽根車８Ｆと、この羽根車８Ｆの上下部のガイド板２７Ｃ、２７Ｃの傾斜面３６、３６よりも小さな傾斜面３７、３７となる内壁面にしたケース体６Ｄとを用いた点で、このように構成したブロアモータ１Ｆにしても、前記本発明を実施するための第２の形態と同様な作用効果が得られる。
【００２５】
図２７ないし図２９に示す本発明を実施するための第８の形態において、前記本発明を実施するための第２の形態と主に異なる点は、ケース体６Ａの底面にモータ７を取付けた点で、このように構成したブロアモータ１Ｇにしても、前記本発明を実施するための第２の形態と同様な作用効果が得られる。
【００２６】
図３０ないし図３２に示す本発明を実施するための第９の形態において、前記本発明を実施するための第２の形態と主に異なる点は、空気吸引口２が周壁３８に形成されたカバー体３９を使用するケース体６Ｅを用いた点で、このように形成されたケース体６Ｅを用いて構成したブロアモータ１Ｈにしても、前記本発明を実施するための第２の形態と同様な作用効果が得られる。
【００２７】
なお、前記本発明を実施する形態の説明では上下面の両方にカバー板が設けられた羽根車を使用したものについて説明したが、本発明はこれに限らず、上下面のいずれか一方にカバー板が設けられた羽根車を用いても良い。この場合、自重やマグネットの吸引力（反発力）等により、羽根車がカバー板側に付勢されていれば良い。
【産業上の利用可能性】
【００２８】
本発明はブロアモータを製造する産業で利用される。
【図面の簡単な説明】
【００２９】
【図１】本発明を実施するための最良の第１の形態の平面図。
【図２】本発明を実施するための最良の第１の形態の正面図。
【図３】本発明を実施するための最良の第１の形態の底面図。
【図４】図１の４−４線に沿う断面図。
【図５】本発明を実施するための最良の第１の形態のケース体の説明図。
【図６】本発明を実施するための最良の第１の形態のモータの説明図。
【図７】本発明を実施するための最良の第１の形態の羽根車の説明図。
【図８】本発明を実施するための最良の第１の形態の羽根車のスラスト方向の動作説明図。
【図９】本発明を実施するための第２の形態の平面図。
【図１０】図９の１０−１０線に沿う断面図。
【図１１】本発明を実施するための第２の形態の羽根車の説明図。
【図１２】本発明を実施するための第３の形態の平面図。
【図１３】図１２の１３−１３線に沿う断面図。
【図１４】本発明を実施するための第３の形態の羽根車の説明図。
【図１５】本発明を実施するための第４の形態の平面図。
【図１６】図１５の１６−１６線に沿う断面図。
【図１７】本発明を実施するための第４の形態の羽根車の説明図。
【図１８】本発明を実施するための第５の形態の平面図。
【図１９】図１８の１９−１９線に沿う断面図。
【図２０】本発明を実施するための第５の形態の羽根車の説明図。
【図２１】本発明を実施するための第６の形態の平面図。
【図２２】図２１の２２−２２線に沿う断面図。
【図２３】本発明を実施するための第６の形態の羽根車の説明図。
【図２４】本発明を実施するための第７の形態の平面図。
【図２５】図２４の２５−２５線に沿う断面図。
【図２６】本発明を実施するための第７の形態の羽根車の説明図。
【図２７】本発明を実施するための第８の形態の平面図。
【図２８】図２７の２８−２８線に沿う断面図。
【図２９】本発明を実施するための第８の形態のモータの説明図。
【図３０】本発明を実施するための第９の形態の平面図。
【図３１】本発明を実施するための第９の形態の正面図。
【図３２】図３０の３２‐３２線に沿う断面図。
【符号の説明】
【００３０】
１、１Ａ、１Ｂ、１Ｃ、１Ｄ、１Ｅ、１Ｆ、１Ｇ、１Ｈ：ブロアモータ、
２：空気吸引口                        ３：蓋板、
４：周壁、                                        ５：排出口、
６、６Ａ、６Ｂ、６Ｃ、６Ｄ、６Ｅ：ケース体、
７：モータ、
８、８Ａ、８Ｂ、８Ｃ、８Ｄ、８Ｅ、８Ｆ：羽根車、
９：ビス、                                        １０：挿入孔、
１１：取付部、                                １２：ケース体本体、
１３：下部空気吸引口、                １４：ベース板、
１５：シャフト、                            １６：微少隙間、
１７：スリーブ、                            １８：ロータ、
１９：コアレス波形連続コイル、２０：バックヨーク、
２１：回転部材としてのハブ、    ２２：凹部、
２３：スラストマグネット、        ２４：スラストマグネット、
２５：ボス部、                                ２６：透孔、
２７、２７Ａ、２７Ｂ、２７Ｃ：上下部のカバー板、
２８：羽根、                                                ２９：凹部、
３０：上下部の圧力室、
３１、３１Ａ、３１Ｂ、３１Ｃ：上下部のバルブ室、
３２：傾斜面、                                ３３：傾斜面、
３４：曲面、                                                ３５：曲面、
３６：傾斜面、                                ３７：傾斜面、
３８：周壁、                                                ３９：カバー体。
【図１】
2006129638.tif 000003
【図２】
2006129638.tif 000004
【図３】
2006129638.tif 000005
【図４】
2006129638.tif 000006
【図５】
2006129638.tif 000007
【図６】
2006129638.tif 000008
【図７】
2006129638.tif 000009
【図８】
2006129638.tif 000010
【図９】
2006129638.tif 000011
【図１０】
2006129638.tif 000012
【図１１】
2006129638.tif 000013
【図１２】
2006129638.tif 000014
【図１３】
2006129638.tif 000015
【図１４】
2006129638.tif 000016
【図１５】
2006129638.tif 000017
【図１６】
2006129638.tif 000018
【図１７】
2006129638.tif 000019
【図１８】
2006129638.tif 000020
【図１９】
2006129638.tif 000021
【図２０】
2006129638.tif 000022
【図２１】
2006129638.tif 000023
【図２２】
2006129638.tif 000024
【図２３】
2006129638.tif 000025
【図２４】
2006129638.tif 000026
【図２５】
2006129638.tif 000027
【図２６】
2006129638.tif 000028
【図２７】
2006129638.tif 000029
【図２８】
2006129638.tif 000030
【図２９】
2006129638.tif 000031
【図３０】
2006129638.tif 000032
【図３１】
2006129638.tif 000033
【図３２】
2006129638.tif 000034